(57)【特許請求の範囲】
【請求項１】
ドアトリムに設けられ、互いに対向する一対の車外側，車内側縦壁と、該両縦壁の下縁部同士を接続する底壁とを有する車両用収納ポケットであって、
前記車外側縦壁の前記底壁から上方に離れた位置に、前記車内側縦壁との間に所定の隙間をあけて該車内側縦壁に向かって突出する前，後一対の突起部を設け、該両突起部を円筒状の山形に形成したことを特徴とする車両用収納ポケット。
【発明の詳細な説明】
【技術分野】
【０００１】
本発明は、車室内に設けられた小物を収納するための車両用収納ポケットに関する。
【背景技術】
【０００２】
自動車のドア，あるいはインストルメントパネル等には、地図，雑誌，ペットボトル等の小物を収容する収納ポケットが設けられている。例えば、特許文献１では、自動車のドアの室内側に車両前後方向に開口する収納用ポケットを設け、このポケット内を別部品の仕切り板で仕切ることでペットボトル等を収納できるようにしている。
【先行技術文献】
【特許文献】
【０００３】
【特許文献１】特開２００３−７２４７２号公報
【発明の概要】
【発明が解決しようとする課題】
【０００４】
ところで、前記従来の収納用ポケットのように仕切り板で仕切る構造とした場合には、ポケットの用途が雑誌類とペットボルトに限定され、多様な小物に柔軟に対応できないという問題がある。
【０００５】
また前記仕切り板をポケットの縦壁面から底壁面にわたって当接させる構造であることから、仕切り板が邪魔をして手を底壁面に挿入することができない場合があり、底壁面に付着した水滴や埃等の掃除がしにくいという問題がある。
【０００６】
本発明は、前記従来の状況に鑑みてなされたもので、ポケットの用途を拡大できるとともに、底壁面の掃除を容易にできる車両用収納ポケットを提供することを課題としている。
【課題を解決するための手段】
【０００７】
請求項１の発明は、ドアトリムに設けられ、互いに対向する一対の車外側，車内側縦壁と、該両縦壁の下縁部同士を接続する底壁とを有する車両用収納ポケットであって、
前記車外側縦壁の前記底壁から上方に離れた位置に、前記車内側縦壁との間に所定の隙間をあけて該車内側縦壁に向かって突出する前，後一対の突起部を設け、該両突起部を円筒状の山形に形成したことを特徴としている。
【発明の効果】
【０００８】
本発明に係る車両用収納ポケットによれば、車外側縦壁に、車内側縦壁との間に所定の隙間をあけて該車内側縦壁に向かって突出する前，後一対の突起部を設けたので、例えば突起部と突起部とで囲まれた空間にペットボルト等のドリンク容器を収納したり、あるいは突起部に折り畳み傘等の小物類を立て掛けたり、さらには突起部を荷掛けフックとして利用することが可能であり、それだけ用途を拡大できる。
【０００９】
また本発明では、前記突起部を縦壁の底壁から離れた位置に設けたので、突起部に干渉することなく、手を底壁まで挿入することができ、ポケットの底壁面に付着した水滴等の掃除を容易に行うことができる。
【図面の簡単な説明】
【００１０】
【図１】本発明の実施例１による自動車のドアに設けられた収納ポケットの斜視図である。
【図２】前記収納ポケットの斜視図である。
【図３】前記収納ポケットの斜視図である。
【図４】前記収納ポケットの断面図（図３のIV-IV線断面図）である。
【図５】前記収納ポケットの断面図（図３のV-V線断面図）である。
【発明を実施するための形態】
【００１１】
以下、本発明の実施例を添付図面に基づいて説明する。
【実施例１】
【００１２】
図１ないし図５は、本発明の実施例１による車両用収納ポケットを説明するための図である。本実施例では、自動車のドアに設けられた収納ポケットを例に説明する。なお、本実施例の説明のなかで前後，左右という場合は、シートに着座した状態で見た場合の前後，左右を意味する。
【００１３】
図において、１は自動車のドア５の室内側に配設された内装部材としてのドアトリムを示している。このドアトリム１は、樹脂製のものであり、前記ドア５のドアインナパネル５ａに着脱可能に取り付けられている（図４，図５参照）。
【００１４】
前記ドアトリム１は、トリム本体１ａの上部にロック解除レバー配置孔１ｂを形成するとともに、これの下部にドアハンドル１ｃを形成し、さらにトリム本体１ａの上下方向中央部の車両後側にアームレスト１ｄを車室側に突出するように形成した構造を有する。
【００１５】
前記トリム本体１ａの下部には、車両前後方向に延び、かつ上方に開口する開口部２ａを有する収納ポケット２が設けられている。
【００１６】
この収納ポケット２は、車室内に設けられており、前記トリム本体１ａと該トリム本体１ａとは別体に形成されたポケット半体３とで構成されている。詳細には、前記トリム本体１ａの下部を室内側に膨出することにより形成された内側縦壁（車内側縦壁）１ｅと、該内側縦壁１ｅを膨出させたことにより形成されたトリム本体１ａの開口１ｆを覆うように配置された前記ポケット半体３とで形成されている（図５参照）。
【００１７】
前記ポケット半体３は、前記内側縦壁１ｅの車幅方向車外側に位置する外側縦壁（車外側縦壁）３ａと、該外側縦壁３ａの下縁に続いて車内側に屈曲形成された底壁３ｂと、前記外側縦壁３ａの前縁及び後縁に続いて車室内側に屈曲形成された前壁３ｃ及び後壁３ｄとを有する。
【００１８】
このようにして前記収納ポケット２は、互いに対向する左，右一対の前記内側縦壁１ｅ及び外側縦壁３ａと、該内，外側縦壁１ｅ，３ａの下縁部同士を接続する前記底壁３ｂと、さらに前記内，外側縦壁１ｅ，３ａの前縁同士及び後縁同士を接続する前記前壁３ｃ及び後壁３ｄとを備えている。
【００１９】
前記ポケット半体３の外周縁には、前記トリム本体１ａの開口１ｆの周縁部に係合する取付けフランジ部３ｆが一体に形成されている。該取付けフランジ部３ｆの上辺部には複数の取付け孔３ｈが、下辺部には複数の取付け溝３ｉが形成されている（図３参照）。この取付け孔３ｈ，取付け溝３ｉには、前記トリム本体１ａの開口縁部に形成された固定部（不図示）が嵌装されており、これによりポケット半体３はトリム本体１ａに着脱可能に固定されている。
【００２０】
そして、前記収納ポケット２の外側縦壁３ａには、前，後一対の突起部３ｆ，３ｇが形成されている。この前，後の突起部３ｆ，３ｇは、前記底壁３ｂから上方に離れた位置で、かつ前記内側縦壁１ｅとの間に所定の隙間ｓをあけて該縦壁１ｅに向かって突出している。
【００２１】
前記前，後の突起部３ｆ，３ｇは、円筒状の山形をなすようポケット半体３に一体に形成されており、略同じ高さ位置にかつ開口部２ａの近傍に配置されている。
【００２２】
また前記各突出部３ｆ，３ｇは、これの突出高さｈが前記開口部２ａの車幅方向寸法の略１／２となるように設定されている（図５参照）。
【００２３】
前記前側の突起部３ｆは、前記前壁３ｃと縦壁３ａとの境界部に配置され、該前壁３ｃと突起部３ｆとで囲まれた空間がペン，眼鏡等の小物を収納する小物収納部２ｂとなっている。
【００２４】
前記外側縦壁３ａの前，後の突起部３ｆ，３ｇの間には、外側に円弧状をなすよう膨出する円弧部３ｊが形成されており、該円弧部３ｊと前，後の突出部３ｆ，３ｇ及び内側縦壁１ｅとで囲まれた空間がペットボトル等を収納する容器収納部２ｃとなっている。
【００２５】
本実施例によれば、収納ポケット２の外側縦壁３ａに、内側縦壁１ｅとの間に所定の隙間ｓをあけて該縦壁１ｅに向かって突出する前，後一対の突起部３ｆ，３ｇを形成したので、前，後の突起部３ｆ，３ｇの間にペットボルト等のドリンク容器７を収納したり、あるいは前，後の突起部３ｆ，３ｇの間に折り畳み傘等の小物類を立て掛けたり、さらには前記突起部３ｆ，３ｇを荷掛けフックとして利用することも可能であり、それだけ収納ポケット２の用途を拡大できる。
【００２６】
また前記収納ポケット２の後側の突起部３ｇより後方に雑誌等８を収納でき、さらには前記隙間ｓを含む収納ポケット２全長に長尺物９を収納することができ、この点からも用途を拡大できる。
【００２７】
また本実施例では、前記突起部３ｆ，３ｇを外側縦壁３ａの底壁３ｂから上方に離れた位置に設けたので、突起部３ｆ，３ｇに干渉することなく、手を底壁３ｂまで挿入することができ、収納ポケット２の底壁面に付着した水滴や埃等の掃除を容易に行うことができる。
【００２８】
本実施例では、前記突起部３ｆ，３ｇを収納ポケット２に一体に形成したので、部品点数を増やすことなくシンプルな構造で、かつ安価に実現でき、また意匠の自由度を高めることができ、見栄えを向上できる。
【００２９】
また前記突起部３ｆ，３ｇを円筒状の山形をなすように形成したので、板状のものとした場合に比べて強度が高く、小物の出し入れにより割れたり変形したりするのを防止できる。
【００３０】
さらに前記突起部３ｆ，３ｇを車外側に位置する縦壁３ａに配置したので、シートに着座した乗員から見え易く、ペットボトルの出し入れが容易となる。例えば、車内側の縦壁に設けた場合には、該縦壁により突起部が隠れて見えにくくなるおそれがある。
【００３２】
また前記実施例では、各突起部３ｆ，３ｇを収納ポケット２のポケット半体３に一体に形成したが、本発明は、突起部を別体に形成してもよく。このようにした場合には、突起部の取付け位置の自由度を高めることができ、収納ポケットの用途をより一層拡大できる。
【符号の説明】
【００３３】
１ｅ  内側の縦壁（他方の縦壁）
２  収納ポケット
３  外側の縦壁（一方の縦壁）
３ａ  底壁
３ｆ，３ｇ  突起部
ｓ  隙間
【図１】
0005432663.tif 000002
【図２】
0005432663.tif 000003
【図３】
0005432663.tif 000004
【図４】
0005432663.tif 000005
【図５】
0005432663.tif 000006